(57)【特許請求の範囲】
【請求項１】
照明負荷と、通常時に商用電源により照明負荷を点灯させる常用ブロックと、商用電源から電力供給が行われない非常時に照明負荷を点灯させる非常用ブロックと、前記非常用ブロックに電力を供給する非常用電源とを備えた照明器具と、前記非常用ブロックを自動により定期的に動作させることにより、前記照明器具を点検する点検ユニットと、を備えた非常照明自動点検システムにおいて、
前記照明器具の累積点滅回数及び累積点灯時間を記憶する記憶手段を備え、
前記点検ユニットは、前記照明器具を点灯制御する制御手段と、前記記憶手段に記憶されている照明器具の累積点滅回数及び累積点灯時間に基づく前記照明器具のランプの寿命予測を基にランプ寿命を判定する判定手段と、を備え、
前記制御手段は、前記判定手段により前記照明器具のランプ寿命が劣化してきたと判定したときに、前記非常用ブロックの点検スケジュールを当初点検周期より長くするように変更することを特徴とする非常照明自動点検システム。
【発明の詳細な説明】
【技術分野】
【０００１】
本発明は、誘導灯や非常灯のように常用の電源が停電したときに２次電池などの非常用の電源でランプを点灯する非常照明自動点検システムに関するものである。
【背景技術】
【０００２】
従来から、誘導灯や非常灯のような非常用の照明装置は、火災や地震等による停電時に２次電池からなる非常用電源でランプを点灯（非常点灯）させるものであり、２次電池による非常点灯が正常に行われるか否かの点検を定期的に行うように消防庁告示及び建築基準法等で義務づけられている。
【０００３】
通常、非常用の照明装置には常用電源（商用電源）からランプへの電力供給を強制的に停止して擬似的な停電状態とするためのスイッチが設けられており、点検者が装置本体から垂下されている引き紐を操作して上記スイッチをオンさせることによって、定期的（例えば、３ヶ月に１回、以下、「定期点検」と呼ぶ）に２次電池から電力供給してランプを非常点灯させる点検（２次電池による非常点灯が正常に行われるか否かの点検）が行われている。ここで、消防庁や建築基準法の規定では、２次電池からの電力供給により誘導灯の場合には２０分間又は６０分間、非常灯の場合には３０分間、それぞれランプを有効に非常点灯させなければならないことになっており、通常、点検者は上記引き紐に重りを吊り下げて上記スイッチをオンとし、上記規定時間内にランプが有効に非常点灯可能か否かを監視する必要がある。しかも、一般に誘導灯や非常灯は建物内の複数箇所に設置されているから、それら複数の照明装置を一つ一つ見て回って点検しなければならないから、点検者にとって非常に手間の掛かる作業であった。このため、従来より照明器具の検査における点検者の負担を軽減するための各種自動点検システムが提案されている。
【０００４】
このような照明装置の点検方法として、特許文献１に示されるように、照明装置の制御部には、充電値、電圧値、点灯時間の各検出結果から２次電池やランプの異常を総合的に判断する判断部が設けられ、定期点検とは別に２次電池の状態を常時監視し、判断部では定期点検の点検結果と監視結果を総合的に判断して２次電池並びにランプの異常を判断することにより、従来のように法定の定期点検結果のみならず、常時の監視結果と合わせて総合的に判断し、２次電池の点検精度の向上を図るものが知られている。
【０００５】
しかしながら、このように非常照明の自動点検システムにおいては、特に非常照明として常用時にも光源として用いられる場合、当然ランプの点滅回数や累積点灯時間は常用器具と同様の頻度で蓄積されていく中で、ランプの点検では、ランプの点灯、不点灯時にランプに流れるランプ電流を基に判断し、２次電池の点検では、ランプフィラメントを介した閉ループに２次電池の充電電流が流れるようにして、この充電電流の有無によってランプ異常を検出できる構成になっている。このため、点検時に異常と判断された時点では、既にフィラメントが断線して充電電流が流れなくなった後であることから、この状態では、非常照明の目的である停電時、非常時においてランプを点灯させることができないという課題があった。また、このような自動点検システムでは、点検を行う毎に、２次電池が放電されるので、点検回数が増えるほどに電池消費が増加し、点検により電池の劣化が促進され易い虞があった。
【０００６】
なお、他の非常照明の自動点検システムとして、特許文献２に示すように、防災用のランプと、非常用の２次電池と、常時は商用電源からランプを点灯させ、停電等の非常時は２次電池からランプを点灯させる点灯装置と、外部から監視・制御を行うための送受信部を備え、点検スイッチを有する１乃至複数台の防災照明装置の非常時及び常時の動作の監視・制御を一括して行う制御装置より、自動点検用の信号を送ることにより、自動点検作業と非常事態とを判別して、非常事態において無電圧接点出力を制御側に出力するための電力を節約し、２次電池の消耗を少なくするものが知られている。しかし、上記同様に、自動点検の点検回数に伴う電池消費が考慮されていないので、点検により電池の劣化が促進され易い虞があった。
【特許文献１】特開２００４−１１９１５１号公報
【特許文献２】特開平０８−１８０９８０号公報
【発明の開示】
【発明が解決しようとする課題】
【０００７】
本発明は、上記の問題を解決するために成されたものであり、照明器具の点滅回数及び累積点灯時間に基いて、ランプの寿命末期（ランプ切れの手前）の判断を行い、ランプの劣化状態を推測することより、事前にランプの劣化状態、寿命に応じて、法定の定期点検以外の自主点検の頻度を落とし、点検周期を長くするよう点検スケジュールを自動的に変更することができ、これにより、ランプの点検に伴う二次電池の寿命の劣化を低減でき、非常時のランプの点灯する確率を高め、非常時に確実に非常灯の点灯を行うことができる非常照明自動点検システムを提供することを目的とする。
【課題を解決するための手段】
【０００８】
上記目的を達成するために請求項１の発明は、照明負荷と、通常時に商用電源により照明負荷を点灯させる常用ブロックと、商用電源から電力供給が行われない非常時に照明負荷を点灯させる非常用ブロックと、前記非常用ブロックに電力を供給する非常用電源とを備えた照明器具と、前記非常用ブロックを自動により定期的に動作させることにより、前記照明器具を点検する点検ユニットと、を備えた非常照明自動点検システムにおいて、前記照明器具の累積点滅回数及び累積点灯時間を記憶する記憶手段を備え、前記点検ユニットは、前記照明器具を点灯制御する制御手段と、前記記憶手段に記憶されている照明器具の累積点滅回数及び累積点灯時間に基づく前記照明器具のランプの寿命予測を基にランプ寿命を判定する判定手段と、を備え、前記制御手段は、前記判定手段により前記照明器具のランプ寿命が劣化してきたと判定したときに、前記非常用ブロックの点検スケジュールを当初点検周期より長くするように変更するものである。
【発明の効果】
【００１１】
請求項１の発明によれば、照明器具の点滅回数及び累積点灯時間に基いて、点検ユニットは、非常用ブロックの点検スケジュールを変更するので、例えば、照明負荷、すなわちランプの劣化状態を推測し、法定の定期点検以外の自主点検の頻度を落とすことができ、これにより、ランプ点検に伴う非常用電源（二次電池）の寿命の低下を防止でき、非常時に確実に非常点灯を行うことができる。また、常用時にも点灯させている非常照明の常時点灯をあえて消灯させることができ、ユーザに対し積極的に照明負荷であるランプ交換の催促を行うことができる。また、照明負荷であるランプ劣化の程度を推測して、照明器具の交換を適切に行うことができる。
【発明を実施するための最良の形態】
【００１４】
以下、本発明の第１の実施形態に係る非常照明自動点検システムについて、図１を参照して説明する。図１において、非常照明自動点検システム１０は、点検される照明器具１（子機と呼ぶ）と、複数の照明器具１と通信線１４で結ばれシステム全体を管理する制御装置２０（親機と呼ぶ）とを備える。制御装置２０は、照明器具１を点検制御する点検ユニット２１を備え、点検ユニット２１は、各照明器具１の点検を制御する主制御部２２と、各照明器具１の点滅回数、累積点灯時間数及びランプ交換回数、２次電池４の消耗状態を含む点検情報を記憶する主記憶部２３（記憶手段）を有する。主制御部２２はマイクロコンピュータからなり、主記憶部２３は、ＥＥＰＲＯＭなどからなる不揮発性のメモリ等からなる。また、制御装置２０は、通信線１４を介して照明器具１との間でデータを授受する通信手段を備えている。この通信手段は、従来周知の技術で実現可能であるので、詳細説明は省略する。
【００１５】
照明器具１は、白熱ランプや放電ランプなどの光源からなるランプ５ａ、５ｂ（照明負荷）と、通常時に商用電源７により常用時にランプ５ａを点灯させる常用ブロック２と、商用電源７から電力供給が行われない非常時にランプ５ｂ（照明負荷）を点灯させる非常用ブロック３と、非常用ブロック３に電力を供給する２次電池４（非常用電源）と、制御装置２０の点検ユニット２１との間で点検情報を送受信する通信部８と、通信部８と信号線１２で結ばれ、非常用ブロック３と信号線１３で結ばれて点検ユニット２１からの制御信号により照明器具１の点検を行う点検部９とを備える。さらに、常用ブロック２への商用電源７の電力給電を切断する切替スイッチ６が設けられている。
【００１６】
常用ブロック２は、商用電源７のみから給電されてランプ５ａを点灯し、非常時には消灯される。非常用ブロック３は、常用時には、商用電源７から電源を供給され、停電など非常時には、２次電池より電源を供給され、常にランプ５ｂを点灯している。常用ブロック２と非常用ブロック３は、点検ユニット２１からの制御信号により、それぞれのブロックを制御する制御部２ａ、３ａと、各ブロックの点検データや制御データなどを記憶する記憶部２ｂ、３ｂ、制御部２ａ、３ａからの制御信号によりランプ５ａ、５ｂを点灯する点灯部２ｃ、３ｃとを有している。また、制御部３ａは、点検ユニット２１からの命令に基づく制御信号１１を発信し、切替スイッチ６を遮断し、商用電源７からの常用ブロック２への給電を切断する。これにより、擬似的に停電状態を作り、常用ブロックへの電源供給をストップすることにより、ランプ５ａは消灯される。制御部３ａは、停電を認識し、非常用ブロック３のランプ５ｂの商用電源７を２次電池４に切り替え、ランプ５ｂを非常灯として引き続き点灯する。
【００１７】
ところで、従来技術で説明したように消防庁告示及び建築基準法等で義務づけられている点検（２次電池４による非常点灯が正常に行われるか否かの点検）を定期的（例えば、３ヶ月に１回）に定期点検を行う必要がある。本非常照明自動点検システム１０では、常用時におけるランプの点滅状況及び２次電池の電圧などを常に監視し、その監視データを主記憶部２３及び各ブロックの記憶部２ｂ、３ｂに記憶している。従って、定期点検では、この監視データを利用する。まず、点検ユニットからの指示により定期点検がスタートすると、切替スイッチ６が遮断され、商用電源７からの常用ブロック２への電力供給が停止され、強制的に擬似停電の状態にされる。そして、非常用ブロック３の制御部３ａにおいて、この停電状態を検出すると、２次電池から電源供給が行われて非常用のランプ５ｂが点灯されると共に、点検部９により、充電電流測定による２次電池４の点検、ランプ電流測定によるランプの点検及び累積点灯時間を含む必要な点検が行われる。そして、今までの点検データも考慮し、点検ユニット２１で２次電池が正常か異常かを判断し、これらの点検結果を主記憶部２３に記憶させると共に、異常がある場合は、表示等のメッセージで異常であることを発信し、定期点検を完了する。
【００１８】
この非常照明自動点検システム１０においては、上述の定期点検以外に周期的に自動周期点検、すなわち、法定点検以外に実施している短期間のランプ放電による機能維持点検（ここでは、自主点検と呼ぶ）し、照明器具の異常の早期発見を行う。この照明器具１の自動周期定期点検では、通常、商用電源７から電力供給を受けているとき（常時）には、点検時に制御部３ａからの制御信号１１により、切替スイッチ６がオフされ、常用ブロック２への商用電源７が切断されて、非常用ブロックには、２次電池４により電源が供給される。そして、点検ユニット２１からの通信部８を介した点検命令により、点検部９が照明器具１内を点検し、照明器具のランプ点滅回数及び累積点灯時間数及びランプ交換回数を含む各種点検データを照明器具１内の記憶部３ｂに記憶すると共に、主制御装置２０の点検ユニット２１に送信し、送信された点検データが主記憶部２３に記憶される。
【００１９】
非常用ブロック３は、停電などにより外部から電力供給が行われない非常時においてランプ５ｂを点灯させるために、２次電池から電源を供給するためのブロックであり、点検検査においては、この切替え動作を確認するために２次電池４から非常用ブロック３に電源が供給される。定期検査などの点検時は、点灯部３ｃの電源は商用電源７から２次電池４へ自動的に切り替えられて、ランプ５ｂを２次電池４で駆動するようになっている。従って、点検ユニット２１からの自主点検の点検命令がくると非常用ブロック３で、停電時と同様に商用電源７から２次電池４への自動切り替えが行われ、２次電池４が消費される。また、点検時には、非常用ブロック３の制御部３ａからの制御信号１１により、切替スイッチ６がオフされ、常用ブロック２への電源供給が遮断され、これによりランプ５ａへの電源供給は切断される。
【００２０】
点検ユニット２１は、少なくとも１つ以上の照明器具１に対して通信線１４を介して順次あるいは任意に点検指示を行うことができる。そして、この点検指示により、各照明器具１の点検部９に指令を送り、常に監視して点検データを自動収集し、主記憶部２３に記憶する。そして、記憶されている照明器具の点滅回数及び累積点灯時間等のデータに基づいて、ランプの寿命を推測し、自主点検スケジュールを変更する。
【００２１】
ランプの寿命の原因は大きく分けて、累積点灯時間が増加することによる蛍光体劣化に起因する光束減退と、点滅回数増加に伴うランプフィラメント部のエミッタ飛散・劣化（最終的に断線に繋がる）が考えられる。従って、ランプの点滅回数及び累積点灯時間のデータを調べ、ランプ寿命予測を行うことができれば、その予測程度に応じて各照明器具に対し、必要最小限の点検を実施するような制御を行うことができる。これにより、ランプ寿命の低下、及び２次電池の劣化を抑えることができる。
【００２２】
一方、本実施形態の非常照明自動点検システムでは、常時でも非常時でも商用電源がオフされたときに停電検出を行い、このデータは各ブロック２，３の記憶部２ｂ、３ｂ及び主記憶部２３に記憶している。従って、この停電検出機能により、壁スイッチによる電源オン／オフも停電時と見なして、このオン／オフ検出回数をカウントすれば壁スイッチによるオン／オフ回数を、そのままランプ点滅回数としてカウントできる。また、この自動点検システム１０は、定期点検スケジュールに従った定期点検及び自主点検スケジュールに従って行う自主点検の際にも非常点灯させる。そして、この時の点検回数（ランプ点滅回数）も制御装置２０の点検ユニット２１で認識し、定期点検、自主点検の各点滅回数のカウントとの和を取って、その器具の総点滅回数として記録している。これにより、この総点滅回数を、日常の検出信号から容易に求めることができる。また、電源を投入してから停電を検知するまでの点灯時間を、制御装置２０（親機）のＲＴＣ（リアルタイムクロック）によりカウントさせている。これにより、累積点灯時間も知ることができる。
【００２３】
このように、本実施形態の点検システムでは、照明器具１の点検に対し、特にランプ寿命に影響を及ぼす点滅回数及び累積点灯時間について、特別にこれらを検出する手段を設けなくても、普段の監視動作で得られる監視データ結果を基に、常用時の点検制御を実施することができる。
【００２４】
ここで、この点検制御について説明する。先ず、ランプの寿命と点滅回数の関係について説明する。ランプの寿命は、前述のように、ランプの点滅回数増加により低下するが、この低下の程度は、蛍光灯の例では、１回の点滅によるエミッタの飛散が激しいため、一般的に１回ランプ点滅する毎に３０分〜９０分程度寿命が短くなることが知られている。このため、効率の良いＨｆランプ（Ｈｉｇｈ−ｆｒｅｑｕｅｎｃｙ  Ｉｎｖｅｒｔｅｒ  Ｌｉｇｈｔｉｎｇ  Ｆｉｘｔｕｒｅｓ：高周波点灯専用蛍光ランプ）の定格寿命が１２，０００時間程度であることを考慮して、ランプ寿命点滅回数を単純計算で求めると８，０００〜２４，０００回となる。しかし、始動電圧や電源電圧変動、周囲温度、単位時間あたりの点滅頻度などによっても、ランプ寿命に影響を与えることから、ここでは、ランプ寿命点滅回数としてある程度ランプ寿命点滅回数を少なめに見積もって８，０００回として設定する。従って、図２に示すように、累積点滅回数がランプ寿命点滅回数である８，０００回以上と判断された場合には、法定点検以外に実施している短期間のランプ放電による機能維持点検（ここでは、自主点検と呼ぶ）の周期を、現在のスケジュール周期の例えば２倍（点滅回数８，０００回到達時）、３倍（点滅回数１０，０００回到達時）と変更する。これにより点検ユニット２１は、法定点検以外のランプ点滅を伴う点検を極力少なくするように、点検スケジュールを変更する。
【００２５】
さらに、照明器具を連続通電させた場合には、連続通電によりランプの寿命の低下が発生するので、点滅回数による寿命の劣化に加え、連続通電による劣化を考慮する必要がある。この連続通電を加味したランプの寿命予測について説明する。先ず、連続通電においては、ランプの光束は、経時変化を持ち、図３に示すように、累積点灯時間と共に低下する光束減退特性を示す。
【００２６】
ここで、この光速減退特性カーブと比較してあるレベル、例えば、累積点灯時間６，０００時間を上回った場合、累積点灯時間をランプ寿命の劣化を促進させる要因と見なし、累積点灯時間を点滅時間に換算する下記表１の換算表を用いて、現累積点滅時間にこの換算点滅時間を加算する。このように、換算点滅回数を現在の累積点滅回数に加算することにより、累積点滅回数と累積点灯時間の両方による寿命劣化を、この総合点滅回数を用いて一元的に寿命判断を行う。この総合点滅回数を基に、より実際に近いランプの寿命予測を行うことができるので、自主点検の周期の制御を最適にすることができる。
【表１】
0004720342.tif 000002
【００２７】
この累積点灯時間を加味したランプの寿命予測による本実施形態の自主点検の点検周期制御について、図４のフローチャートを参照して説明する。ここで、ランプの寿命を８，０００回とし、また、累積点灯時間を、例えば６，０００時間になる時点を目安として、６，０００時間以上を経過した場合について、累積点灯時間をランプ寿命の劣化推定のデータに加える場合を考える。先ず、自主点検を行う際に、点検スケジュールを最適にするための点検スケジュール設定を行う。点検ユニット２１からの指令により、点検スケジュール設定作業がスタートすると、点検ユニット２１の主制御部２２により、点検ユニット２１内の主記憶部２３で法定の定期点検スケジュールの設定と（Ｓ１）、自主点検スケジュールの当初標準周期（定期点検より早い周期）の設定が行われ（Ｓ２）、さらにランプ予測寿命の点滅回数Ｋが８，０００回が設定されて、記憶され（Ｓ３）、照明器具１の非常用ブロック３の記憶部３ｂに記憶されている点滅回数Ｋａが読み出される（Ｓ４）。この読み出された累積点滅回数Ｋａは、通信部８を介して点検ユニット２１に送られ、主記憶部２３に記憶される。同様にして、点検ユニット２１の指令により、記憶部３ｂに記憶されている累積点灯時間Ｔが読み出され（Ｓ５）、累積点灯時間Ｔが６，０００時間以上であれば（Ｓ６でＮＯ）、点検ユニット２１は、表１の換算表を用いて、累積点灯時間Ｔを累積点灯時間Ｔに相当する加算すべき点滅回数を換算し、換算点滅回数Ｋｂを求める（Ｓ７）。累積点灯時間Ｔが６，０００時間未満ならば（Ｓ６でＹＥＳ）、換算点滅回数Ｋｂを０とする（Ｓ８）。この求められた換算点滅回数Ｋｂは、点検ユニット２１により、先に求められた累積点滅回数Ｋａに加算され（Ｓ９）、この合計の総合点滅回数Ｋ（Ｋ＝Ｋａ＋Ｋｂ）は、ランプ寿命の判定のためにランプ寿命予測の点滅回数８，０００回と比較される（Ｓ１０）。
【００２８】
そして、総合点滅回数Ｋが８，０００回より少ない場合は（Ｓ１０でＹＥＳ）、まだ寿命が比較的残っていると判断して、点検周期は当初のままのスケジュールで行う（Ｓ１１）。Ｓ１０でＮＯの場合において、点滅回数Ｋが８，０００回以上でかつ１０，０００回未満の場合は（Ｓ１２でＹＥＳ）、寿命が少し劣化してきていると判断して、法令の定期点検以外に実施している自主点検の周期を当初設定の標準周期の約２倍に長く設定して（Ｓ１３）、設定を終了する（Ｓ１７）。これにより、ランプの寿命を長く持たせると共に、同時に、２次電池の電力消費も抑えられ、電池劣化を低減することができる。そして、点滅回数Ｋが１０，０００回以上で（Ｓ１２でＮＯ）、点滅回数Ｋが１２，０００回未満の場合は（Ｓ１４でＹＥＳ）、さらに自主点検周期を標準の約３倍に長く設定して（Ｓ１５）、法定の定期点検以外のランプ点滅を伴う点検を極力少なくするような点検スケジュールに変更する制御を点検ユニット２１に行わせて、設定を終了する（Ｓ１７）。さらに、点滅回数の頻度が多くなり、例えば、点滅回数Ｋが１２，０００回より大きい場合は（Ｓ１４でＮＯ）、その器具に対し法定の定期点検以外の自主点検スケジュールを抹消し、定期点検以外の周期点検を行わないような制御を行い（Ｓ１６）、設定を終了する（Ｓ１７）。いずれも、設定を終了後に（Ｓ１７）、自主点検をスタートをする（Ｓ１８）。この自主点検周期の変更により、ランプの寿命の劣化を防ぐと共に、２次電池の消費を抑えることができるので、非常時に非常灯の点灯を確実に行うことができ、非常時の照明点灯の信頼性を高めることができる。
【００２９】
このように、累積点灯時間Ｔを点滅回数に換算して、累積点滅回数に加算することにより、ランプの寿命を累積点滅回数と累積点灯時間のトータルで判断できるので、より正確で信頼性のあるランプ寿命予測を行え、ランプの寿命予測に合わせた周期点検のスケジュールの周期を好適に長くすることができる。このように寿命が予測される照明器具１のランプに対しては点検による点滅を極力行わないように制御することができる。これにより、点検作業に伴う２次電池の劣化を抑え、電池の寿命を長く持たせることができる。従って、ランプの寿命の事前予測により、ランプが切れる前に必要な対応をすることが可能となり非常時における非常灯の点灯を確実に行えるので、非常時の照明器具の信頼性を向上することができる。
【００３０】
次に、本発明の第２の実施形態に係る非常照明自動点検システムについて説明する。本実施形態における非常照明自動点検システムの構成は、実施形態１と共通であるので、図示は省略する。本実施形態は、点検ユニット２１の主制御部２２（制御手段）に照明器具１を点灯制御する制御機能をさらに備え、この主制御部２２は、主記憶部２３（記憶手段）に記憶されている照明器具１の点滅回数及び累積点灯時間に基づいて点灯スケジュールを変更する。すなわち、ランプの点滅回数及び累積点灯時間に応じて、もしランプ点滅回数が所定回数、例えば８，０００回を上回った場合で、かつ１度もランプ交換を行っていない器具である場合、点検ユニット２１は、ランプ寿命末期と判断し、その照明器具１に対してはランプ劣化をこれ以上促進させないために法定の定期点検以外の点検を一切行わず、かつ本来常用時にも点灯させるはずの非常照明の常時点灯自体も行わせなくする。
【００３１】
図５のフローチャートを参照して、本実施形態の非常照明自動点検システムにおける点灯制御について説明する。先ず、自主点検を行う際に、点検スケジュールを最適にするための点灯スケジュール設定を行う。点検ユニット２１からの指令により、点灯スケジュール設定作業がスタートすると、点検ユニット２１の主制御部２２により、点検ユニット２１内の主記憶部２３で法定の定期点検の点灯スケジュールの設定と（Ｓ１）、自主点検の点灯スケジュールの当初設定が行われ（Ｓ２）、さらにランプ予測寿命の点滅回数Ｋが８，０００回が設定されて、記憶され（Ｓ３）、照明器具１の非常用ブロック３の点検部９を介して記憶部３ｂに記憶されている累積点滅回数Ｋが読み出される（Ｓ４）。この読み出された累積点滅回数Ｋは、通信部８を介して点検ユニット２１に送られ、点検ユニット２１で設定されたランプ寿命の点滅回数（Ｋ＝８，０００）と比較される（Ｓ５）。そして、累積点滅回数及び累積点灯時間に応じて得られている点滅回数データを記憶部３ｂから読み出し、この点滅回数Ｋが８，０００回以上の場合（Ｓ５でＹＥＳ）で、かつランプ交換回数Ｎがゼロの場合は（Ｓ６でＹＥＳ）、法定の定期点検の点灯のみにする（Ｓ７）と共に、さらに常用時でも点灯させている非常照明の点灯を中止させ（Ｓ８）、終了する（Ｓ９）。Ｓ５で点滅回数Ｋが８，０００回未満の場合、及びＳ６でランプの交換回数が１回以上ある場合は、ランプの寿命の劣化が少ないとして、自主点検の点灯スケジュールは当初通りに設定し（Ｓ１０）、設定を終了後（Ｓ１１）、自主点検をスタートする（Ｓ１２）。
【００３２】
このように、ランプ点滅回数が所定回数例えば８，０００回を上回った場合で、かつ１度もランプ交換を行っていない器具である場合、ランプ寿命末期と判断し、器具は点灯可能と判断して、その器具に対しては、法定の定期点検以外の点検を一切行わせないことにより、ランプの劣化をこれ以上劣化させなくできる。また、本来常用時にも点灯させるはずの非常照明のランプ５ｂを、あえて常用時消灯させることでランプ交換の積極的な交換の催促を促すこともできる。
【００３３】
次に、本発明の第３の実施形態に係る非常照明自動点検システムについて説明する。本実施形態における非常照明自動点検システムの構成は、実施形態１と共通であるので図示は省略する。本実施形態の非常照明自動点検システムは、点検ユニット２１の主制御部２２（判定手段）に、照明器具１の点滅回数及び累積点灯時間に基づいて照明器具１の異常を判定する判定機能をさらに備えている。すなわち、点検ユニット２１は、制御装置２０に接続される各照明器具１（子機）のランプ交換時期及び点滅回数から総合的に判断して、他の器具と比べ著しくランプ交換回数の多い器具があると判断された場合にはランプ異常ではなく器具異常と判断する。
【００３４】
上述の第１の実施形態では、ランプ点滅回数とランプ寿命との関係は単純計算で８，０００〜２４，０００回としたが、これはランプを点灯させる点灯回路がランプ設計情報に従って適正に予熱電流や始動電圧が設計された場合の水準である。従って、もし照明器具（特に点灯回路等）の設計として規格を外れるものが混在する場合、ランプ寿命に大きく影響することになる。ここで、照明器具自体が不備であると考えられる条件として、
（ａ）ランプ寿命点滅回数：８，０００回未満で既に寿命のランプが存在する、又は、
（ｂ）制御装置２０に接続される全ての照明器具の中でランプ交換履歴があり、ランプが正常に点灯している複数照明器具の台数Ｌの内、ランプ交換回数が同じで台数が最も多い交換回数（Ｍ回）に対し、ある照明器具のランプ交換回数（Ｎ回）が３倍以上である照明器具が存在する（Ｎ／Ｍ≧３）、
のいずれかが考えられる。
【００３５】
この照明器具の不備の条件について、下記表２を参照して説明する。表２には、各照明器具のランプの現状の点検状態を示している。例えば、現時点で照明器具のランプ点滅回数８，０００回以下であり、ランプに異常があるものは、照明器具Ｃである。この照明器具Ｃのランプは、通常のランプ寿命の基準を８，０００回とする場合に比べ異常に故障が早い。この場合には、ランプの寿命は、もっと長いはずなので、ランプに原因があるのではなく、ランプを点灯する器具側に異常があると判断する。これにより、このランプは、条件（ａ）に該当するので交換対象となる。また、ランプが正常に点灯している照明器具６台のうちランプ交換回数が１回（Ｍ＝１）のものが最も多いのに対して、照明器具Ｅだけが３回（Ｎ＝３）ランプ交換をしている。これは条件（ｂ）に該当し、照明器具Ｅにおけるランプ交換の回数が、他に比べ多すぎるので、ランプより照明器具に不備があると判断し、器具交換の対象となる。このように、ランプ点滅回数及び累積点灯時間から得られるランプ総点滅回数、及びランプ交換回数から器具異常（常用ブロック異常）の判断を行うことができる。これにより、両方の条件を器具交換の判定条件として常にモニタしておき、いずれか先に上記条件（ａ）又は（ｂ）を満たした照明器具１に対して器具異常と判断し、器具異常を報知し、交換することができる。
【表２】
0004720342.tif 000003
【００３６】
次に、上記点検システムの点検制御について、図６のフローチャートを参照して説明する。前記同様に、ランプの寿命予測を８,０００回とし、先ず、制御装置２０の点検ユニット２１からの指令により点検作業がスタートする。ステップＳ１からステップＳ４までは、図４のフローチャートと同じであるので説明を省略する。記憶部３ｂから読み出された累積点滅回数及び累積点灯時間に応じて得られている総点滅回数データが８，０００回より少ない場合（Ｓ５でＹＥＳ）で、かつランプ交換回数Ｎがゼロで無い場合は（Ｓ６でＮＯ）、点滅回数がランプ寿命の８，０００回に達していないのにランプ交換が行われているので、点検ユニット２１の主制御部２２は、器具側の異常と判断して、器具交換のメッセージを発信して（Ｓ８）、終了する（Ｓ１２）。また、Ｓ６でＹＥＳの場合は、ランプの寿命も器具も問題ないと判断して、自主点検をスケジュール通りに行う（Ｓ７）。また、点滅回数Ｋが８，０００回より大きい場合には（Ｓ５でＮＯ）、点検ユニット２１は、制御装置２０に接続されている全ての照明器具のランプ交換回数を比較し、その内で最も多い同一交換回数Ｍを選び（Ｓ９）、制御装置２０に接続される任意の器具のランプの交換回数Ｎと全て比較し、Ｎ／Ｍ≧３が成立した場合は（Ｓ１０でＹＥＳ）、点検ユニット２１はその比較した器具が異常と判断し、照明器具１の交換のメッセージを発信して（Ｓ８）、終了する（Ｓ１２）。また、Ｎ／Ｍ≧３が成立しない場合は（Ｓ１０でＮＯ）、ランプ、器具とも正常と判断し、自主点検をスケジュール通りに設定し（Ｓ１１）、設定を終了して（Ｓ１２）、自主点検をスタートする（Ｓ１３）。
【００３７】
上述した各種実施形態に係る非常照明自動点検システム１０によれば、照明器具１の点滅回数及び累積点灯時間に基いて、ランプ５ａ、５ｂの寿命末期（ランプ切れの手前）を予測し、ランプ５ａ、５ｂの劣化状態を推測することできる。これにより、ランプ５ａ、５ｂの劣化状態に応じて、点検スケジュールを変更し、法定の定期点検以外の自主点検の点検頻度を落とすことができる。この点検頻度を落として点検周期を長期化することにより、ランプ５ａ、５ｂの寿命を維持すると共に、ランプ点検に伴う非常用の二次電池４の寿命の低下を防止でき、非常時に非常灯の点灯を確実に行うことができ、非常時照明の信頼性を高めることができる。同時に、点検者が点検時間を計測する手間及び建物内に点在する非常用の照明器具の点検スイッチを操作して回る手間を省略し点検作業の省力化を図ることができる。
【図面の簡単な説明】
【００３８】
【図１】本発明の第１の実施形態による非常照明自動点検システムの構成図。
【図２】上記システムの自主点検における点滅回数と点検周期の関係を示す図。
【図３】上記システムに用いるランプの累積点灯時間とランプ光束減衰特性の関係を示す図。
【図４】上記システムの動作を説明するフローチャート。
【図５】本発明の第２の実施形態による非常照明自動点検システムの動作を説明するフローチャート。
【図６】本発明の第３の実施形態による非常照明自動点検システムの動作を説明するフローチャート。
【符号の説明】
【００３９】
１  照明器具
２  常用ブロック
３  非常用ブロック
４  ２次電池（非常用電源）
５ａ、５ｂ  ランプ（照明負荷）  
７  商用電源
１０  非常照明自動点検システム
２１  点検ユニット
２２  主制御部（制御手段、判断手段）
２３  主記憶部（記憶手段）
【図１】
0004720342.tif 000004
【図２】
0004720342.tif 000005
【図３】
0004720342.tif 000006
【図４】
0004720342.tif 000007
【図５】
0004720342.tif 000008
【図６】
0004720342.tif 000009